【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ネットワークサービスセンターからネットワークリソースを割り振るための少なくとも１つのビットレートを受信することと、
前記少なくとも１つのビットレートに基づいて前記ネットワークリソースを割り振ることと、
ブロードキャスト／マルチキャストエリア中のすべての基地局に前記ネットワークリソース配分を知らせることと、
前記割り振られたネットワークリソースを介して前記少なくとも１つの基地局によって受信されているＭＢＭＳデータの量の変化またはユニキャスト負荷の変化のうちの１つまたは複数を示すステータス情報を、前記ブロードキャスト／マルチキャストエリア中の少なくとも１つの基地局から受信することと、
前記受信されたステータス情報に基づいて前記ネットワークリソース配分を調整することと
を備え、前記少なくとも１つのビットレートが最大ビットレート（ＭＢＲ）と保証ビットレート（ＧＢＲ）とを備え、前記方法は、
セッションのネットワークリソース配分を調整するための、利用可能なネットワークリソースの量を決定することと、
前記調整されたネットワークリソース配分に基づいてデータを送信するための、調整されたビットレートを決定することと、
前記ネットワークサービスセンターおよびすべての基地局に前記調整されたビットレートを知らせることと
をさらに備える、方法。
【請求項２】
前記少なくとも１つのビットレートが、ブロードキャスト／マルチキャストセッションの開始の後に更新され得る、請求項１に記載の方法。
【請求項３】
前記ＭＢＲが保証ビットレート（ＧＢＲ）に等しい、請求項１に記載の方法。
【請求項４】
前記ネットワークリソースがブロードキャスト／マルチキャストモードで使用されないとき、前記ネットワークリソースがユニキャストモードで使用される、請求項３に記載の方法。
【請求項５】
前記ネットワークリソース配分を前記調整することが、前記少なくとも１つの基地局によって受信されているデータの量が減ったことまたはユニキャスト負荷の量が増えたことのうちの１つまたは複数を前記ステータス情報が示す場合、前記ＧＢＲに基づいて前記割り振られたネットワークリソースの量を減らすことを備える、請求項１に記載の方法。
【請求項６】
前記ネットワークリソース配分を前記調整することが、前記少なくとも１つの基地局によって受信されているデータの量が増えたことまたはユニキャスト負荷の量が減ったことのうちの１つまたは複数を前記ステータス情報が示す場合、前記ＭＢＲに基づいて前記割り振られたネットワークリソースの量を増やすことを備える、請求項１に記載の方法。
【請求項７】
前記方法が、
第１のビットレートに基づいて、セッションのための前記ネットワークリソースを割り振ることと、前記第１のビットレートがＧＢＲよりも大きい、
イベントの発生に基づいて、第２のビットレートへと前記ネットワークリソース配分を調整することと、前記第２のビットレートがＧＢＲに等しい、
をさらに備える、請求項１に記載の方法。
【請求項８】
前記第１のビットレートを満たすためにネットワークリソースが利用不可能であることを示す情報を前記ブロードキャスト／マルチキャストエリア中の少なくとも１つの基地局から受信すると、前記イベントが発生する、請求項７に記載の方法。
【請求項９】
新たなセッションがスケジューリングされることを許可すると決定すると、前記イベントが発生する、請求項７に記載の方法。
【請求項１０】
前記利用可能なネットワークリソースが前記第２のビットレートを満たせない場合、所定のパケット破棄規則に従って、データパケットを破棄するように少なくとも１つの基地局に指示することをさらに備える、請求項７に記載の方法。
【請求項１１】
前記方法が、
別のイベントの発生に基づいて、第３のビットレートへと前記ネットワークリソース配分を調整することと、前記第３のビットがＭＢＲより大きくない、
前記別のイベントが発生すると、データパケットの破棄を止めるように前記少なくとも１つの基地局に指示することと
をさらに備える、請求項１０に記載の方法。
【請求項１２】
前記第３のビットレートを満たすためにネットワークリソースが利用可能であることを示す情報を前記ブロードキャスト／マルチキャストエリア中のすべての基地局から受信すると、前記別のイベントが発生する、請求項１１に記載の方法。
【請求項１３】
前記利用可能なリソースの量を前記決定することが、前記割り振られたネットワークリソースを介して前記少なくとも１つの基地局によって受信されているデータの量の変化またはユニキャスト負荷の変化のうちの１つまたは複数を示すステータス情報を、前記ブロードキャスト／マルチキャストエリア中の少なくとも１つの基地局から受信することを備える、請求項１に記載の方法。
【請求項１４】
前記セッションの前記ネットワークリソース配分を前記調整することが、利用可能なネットワークリソースの量が閾値を超える場合に、ＭＢＲに基づいて、優先度のより高いセッションにより多くのネットワークリソースを割り振ることを備える、請求項１に記載の方法。
【請求項１５】
前記セッションの前記ネットワークリソース配分を前記調整することが、利用可能なネットワークリソースの量が閾値を下回る場合に、ＧＢＲに基づいて、優先度のより低いセッションにより少ないネットワークリソースを割り振ることを備える、請求項１に記載の方法。
【請求項１６】
前記ネットワークサービスセンターに前記調整されたビットレートを知らせるためのメッセージタイプが、前記ネットワークサービスセンターとコンテンツソースとの間のトランスポートプロトコルに依存する、請求項１に記載の方法。
【請求項１７】
ワイヤレス通信の方法であって、
ネットワーク協調エンティティからネットワークリソース配分を受信することと、前記ネットワークリソース配分が、ネットワークサービスセンターから受信された少なくとも１つのビットレートに基づき、ここにおいて、前記少なくとも１つのビットレートが保証ビットレート（ＧＢＲ）よりも高く、最大ビットレート（ＭＢＲ）よりも低い、
前記ネットワークリソース配分に基づいて、受信されたブロードキャスト／マルチキャストデータの送信をスケジューリングすることと、
前記ネットワークリソース配分を介して受信されているデータの量の変化またはユニキャスト負荷の変化のうちの１つまたは複数を決定することと、
前記受信されているデータの量の前記変化または前記ユニキャスト負荷の前記変化のうちの前記１つまたは複数を示すステータス情報を、前記ネットワーク協調エンティティに送信することと、
前記送信されたステータス情報に基づいて、調整されたネットワークリソース配分を前記ネットワーク協調エンティティから受信することと
を備える、方法。
【請求項１８】
前記少なくとも１つのビットレートが、ブロードキャスト／マルチキャストセッションの開始の後に更新され得る、請求項１７に記載の方法。
【請求項１９】
前記ネットワークリソース配分のすべてが前記受信されたブロードキャスト／マルチキャストデータを送信するために使用されない場合、前記ネットワークリソース配分を使用してユニキャストデータを送信することをさらに備える、請求項１７に記載の方法。
【請求項２０】
前記調整されたネットワークリソース配分が、受信されているデータの量が減ったことまたはユニキャスト負荷の量が増えたことのうちの１つまたは複数を前記ステータス情報が示す場合、前記ＧＢＲに基づいて割り振られたネットワークリソースの減少した量を備える、請求項１７に記載の方法。
【請求項２１】
前記調整されたネットワークリソース配分が、受信されているデータの量が増えたことまたはユニキャスト負荷の量が減ったことのうちの１つまたは複数を前記ステータス情報が示す場合、前記ＭＢＲに基づいて割り振られたネットワークリソースの増加した量を備える、請求項１７に記載の方法。
【請求項２２】
前記方法が、
第１のビットレートで、前記ネットワークリソース配分に基づいてブロードキャスト／マルチキャストデータの送信をスケジューリングすることと、前記第１のビットレートがＧＢＲよりも大きい、
イベントの発生に基づいて、第２のビットレートへと調整されたネットワークリソース配分を前記ネットワーク協調エンティティから受信することと、前記第２のビットレートがＧＢＲに等しい、
をさらに備える、請求項１７に記載の方法。
【請求項２３】
前記第１のビットレートを満たすためにネットワークリソースが利用不可能であることを示す情報を前記ネットワーク協調エンティティに送信すると、前記イベントが発生する、請求項２２に記載の方法。
【請求項２４】
新たなセッションがスケジューリングされることを許可すると前記ネットワーク協調エンティティが決定すると、前記イベントが発生する、請求項２２に記載の方法。
【請求項２５】
前記利用可能なネットワークリソースが前記第２のビットレートを満たせない場合、所定のパケット破棄規則に従って、データパケットを破棄せよという前記ネットワーク協調エンティティからの指示を受信することをさらに備える、請求項２２に記載の方法。
【請求項２６】
前記方法が、
別のイベントの発生に基づいて、第３のビットレートへと調整された別のネットワークリソース配分を前記ネットワーク協調エンティティから受信することと、前記第３のビットレートがＭＢＲより大きくない、
前記別のイベントが発生すると、データパケットの破棄を止めよという前記ネットワーク協調エンティティからの指示を受信することと
をさらに備える、請求項２５に記載の方法。
【請求項２７】
前記第３のビットレートを満たすためにネットワークリソースが利用可能であることを示す情報を前記ネットワーク協調エンティティに送信すると、前記別のイベントが発生する、請求項２６に記載の方法。
【請求項２８】
ワイヤレス通信の方法であって、
セッションのネットワークリソースを割り振るための少なくとも１つのビットレートをネットワーク協調エンティティに送信することと、ここにおいて、前記少なくとも１つのビットレートが保証ビットレート（ＧＢＲ）よりも高く、最大ビットレート（ＭＢＲ）よりも低い、
調整されたビットレートを前記ネットワーク協調エンティティから受信することと、ここにおいて、前記調整されたビットレートが、前記割り振られたネットワークリソースを介して少なくとも１つの基地局によって受信されているデータの量の変化またはユニキャスト負荷の変化のうちの１つまたは複数に基づく、
前記調整されたビットレートに基づいてデータを送信することと
を備える、方法。
【請求項２９】
前記少なくとも１つのビットレートが、前記セッションの開始の後に調整され得、前記セッションがブロードキャスト／マルチキャストセッションである、請求項２８に記載の方法。
【請求項３０】
前記ネットワーク協調エンティティが、データを少なくとも１つの基地局に送信するために利用可能なリソースの量に基づいて、前記調整されたネットワークリソース配分を決定する、請求項２８に記載の方法。
【請求項３１】
前記ネットワーク協調エンティティが、前記割り振られたネットワークリソースを介して前記少なくとも１つの基地局によって受信されているデータの量の変化またはユニキャスト負荷の変化のうちの１つまたは複数を示す、前記少なくとも１つの基地局から受信されたステータス情報に基づいて、前記利用可能なリソースの量を決定する、請求項３０に記載の方法。
【請求項３２】
前記調整されたネットワークリソース配分が、前記利用可能なネットワークリソースの量が閾値を超える場合に、ＭＢＲに基づいて、優先度のより高いセッションにより多くのネットワークリソースを割り振る、請求項３０に記載の方法。
【請求項３３】
前記調整されたネットワークリソース配分が、前記利用可能なネットワークリソースの量が閾値より少ない場合に、ＧＢＲに基づいて、優先度のより低いセッションにより少ないネットワークリソースを割り振る、請求項３０に記載の方法。
【請求項３４】
複数のネットワーク協調エンティティから受信された複数の調整されたビットレートに基づいて、集約された調整されたビットレートを決定することと、
前記集約された調整されたビットレートに基づいて、レート調整要求をコンテンツソースに送信することと、
前記集約された調整されたビットレートに従って前記コンテンツソースからコンテンツを受信することと
をさらに備え、前記調整されたビットレートに基づいて送信される前記データが、前記集約された調整されたビットレートに従って前記コンテンツソースから受信される前記コンテンツに基づく、請求項２８に記載の方法。
【請求項３５】
ワイヤレス通信の装置であって、
ネットワークサービスセンターからネットワークリソースを割り振るための少なくとも１つのビットレートを受信するための手段と、
前記少なくとも１つのビットレートに基づいて前記ネットワークリソースを割り振るための手段と、
ブロードキャスト／マルチキャストエリア中のすべての基地局に前記ネットワークリソース配分を知らせるための手段と、
前記割り振られたネットワークリソースを介して前記少なくとも１つの基地局によって受信されているデータの量の変化またはユニキャスト負荷の変化のうちの１つまたは複数を示すステータス情報を、前記ブロードキャスト／マルチキャストエリア中の少なくとも１つの基地局から受信するための手段と、
前記受信されたステータス情報に基づいて前記ネットワークリソース配分を調整するための手段と
を備え、前記少なくとも１つのビットレートが、最大ビットレート（ＭＢＲ）と保証ビットレート（ＧＢＲ）とを備え、前記装置が、
セッションのネットワークリソース配分を調整するための、利用可能なネットワークリソースの量を決定するための手段と、
前記調整されたネットワークリソース配分に基づいてデータを送信するための、調整されたビットレートを決定するための手段と、
前記ネットワークサービスセンターおよびすべての基地局に前記調整されたビットレートを知らせるための手段と
をさらに備える、装置。
【請求項３６】
前記少なくとも１つのビットレートが、ブロードキャスト／マルチキャストセッションの開始の後に更新され得る、請求項３５に記載の装置。
【請求項３７】
前記ＭＢＲが前記ＧＢＲに等しい、請求項３５に記載の装置。
【請求項３８】
前記ネットワークリソースがブロードキャスト／マルチキャストモードで使用されないとき、前記ネットワークリソースがユニキャストモードで使用される、請求項３７に記載の装置。
【請求項３９】
前記ネットワークリソース配分を前記調整するための手段が、前記少なくとも１つの基地局によって受信されているデータの量が減ったことまたはユニキャスト負荷の量が増えたことのうちの１つまたは複数を前記ステータス情報が示す場合、前記ＧＢＲに基づいて前記割り振られたネットワークリソースの量を減らすための手段を備える、請求項３５に記載の装置。
【請求項４０】
前記ネットワークリソース配分を前記調整するための手段が、前記少なくとも１つの基地局によって受信されているデータの量が増えたことまたはユニキャスト負荷の量が減ったことのうちの１つまたは複数を前記ステータス情報が示す場合、前記ＭＢＲに基づいて前記割り振られたネットワークリソースの量を増やすための手段を備える、請求項３５に記載の装置。
【請求項４１】
第１のビットレートに基づいて、セッションのための前記ネットワークリソースを割り振るための手段と、前記第１のビットレートがＧＢＲよりも大きい、
イベントの発生に基づいて、第２のビットレートへと前記ネットワークリソース配分を調整するための手段と、前記第２のビットレートがＧＢＲに等しい、
をさらに備える、請求項３５に記載の装置。
【請求項４２】
前記第１のビットレートを満たすためにネットワークリソースが利用不可能であることを示す情報を前記装置が前記ブロードキャスト／マルチキャストエリア中の少なくとも１つの基地局から受信すると、前記イベントが発生する、請求項４１に記載の装置。
【請求項４３】
新たなセッションがスケジューリングされることを許可すると前記装置が決定すると、前記イベントが発生する、請求項４１に記載の装置。
【請求項４４】
前記利用可能なネットワークリソースが前記第２のビットレートを満たせない場合、所定のパケット破棄規則に従って、データパケットを破棄するように少なくとも１つの基地局に指示するための手段をさらに備える、請求項４１に記載の装置。
【請求項４５】
別のイベントの発生に基づいて、第３のビットレートへと前記ネットワークリソース配分を調整するための手段と、前記第３のビットレートがＭＢＲより大きくない、
前記別のイベントが発生すると、データパケットの破棄を止めるように前記少なくとも１つの基地局に指示するための手段と
をさらに備える、請求項４４に記載の装置。
【請求項４６】
前記別のイベントが、前記第３のビットレートを満たすためにネットワークリソースが利用可能であることを示す情報を前記ブロードキャスト／マルチキャストエリア中のすべての基地局から受信することを備える、請求項４５に記載の装置。
【請求項４７】
前記利用可能なリソースの量を前記決定するための手段が、前記割り振られたネットワークリソースを介して前記少なくとも１つの基地局によって受信されているデータの量の変化またはユニキャスト負荷の変化のうちの１つまたは複数を示すステータス情報を、前記ブロードキャスト／マルチキャストエリア中の少なくとも１つの基地局から受信するための手段を備える、請求項３５に記載の装置。
【請求項４８】
前記セッションの前記ネットワークリソース配分を前記調整するための手段が、利用可能なネットワークリソースの量が閾値を超える場合に、ＭＢＲに基づいて、優先度のより高いセッションにより多くのネットワークリソースを割り振るための手段を備える、請求項３５に記載の装置。
【請求項４９】
前記セッションの前記ネットワークリソース配分を前記調整するための手段が、利用可能なネットワークリソースの量が閾値を下回る場合に、ＧＢＲに基づいて、優先度のより低いセッションにより少ないネットワークリソースを割り振るための手段を備える、請求項３５に記載の装置。
【請求項５０】
前記ネットワークサービスセンターに前記調整されたビットレートを知らせるためのメッセージタイプが、前記ネットワークサービスセンターとコンテンツソースとの間のトランスポートプロトコルに依存する、請求項３５に記載の装置。
【請求項５１】
ワイヤレス通信の装置であって、
ネットワーク協調エンティティからネットワークリソース配分を受信するための手段と、前記ネットワークリソース配分が、ネットワークサービスセンターから受信された少なくとも１つのビットレートに基づき、ここにおいて、前記少なくとも１つのビットレートが保証ビットレート（ＧＢＲ）よりも高く、最大ビットレート（ＭＢＲ）よりも低い、
前記ネットワークリソース配分に基づいて、受信されたブロードキャスト／マルチキャストデータの送信をスケジューリングするための手段と、
前記ネットワークリソース配分を介して受信されているデータの量の変化またはユニキャスト負荷の変化のうちの１つまたは複数を決定するための手段と、
前記受信されているデータの量の前記変化または前記ユニキャスト負荷の前記変化のうちの１つまたは複数を示すステータス情報を、前記ネットワーク協調エンティティに送信するための手段と、
前記送信されたステータス情報に基づいて、調整されたネットワークリソース配分を前記ネットワーク協調エンティティから受信するための手段と
を備える、装置。
【請求項５２】
前記少なくとも１つのビットレートが、ブロードキャスト／マルチキャストセッションの開始の後に更新され得る、請求項５１に記載の装置。
【請求項５３】
前記ネットワークリソース配分のすべてが前記受信されたブロードキャスト／マルチキャストデータを送信するために使用されない場合、前記ネットワークリソース配分を使用してユニキャストデータを送信するための手段をさらに備える、請求項５１に記載の装置。
【請求項５４】
前記調整されたネットワークリソース配分が、受信されているデータの量が減ったことまたはユニキャスト負荷の量が増えたことのうちの１つまたは複数を前記ステータス情報が示す場合、前記ＧＢＲに基づいて割り振られたネットワークリソースの減少した量を備える、請求項５１に記載の装置。
【請求項５５】
前記調整されたネットワークリソース配分が、受信されているデータの量が増えたことまたはユニキャスト負荷の量が減ったことのうちの１つまたは複数を前記ステータス情報が示す場合、前記ＭＢＲに基づいて割り振られたネットワークリソースの増加した量を備える、請求項５１に記載の装置。
【請求項５６】
第１のビットレートで、前記ネットワークリソース配分に基づいてブロードキャスト／マルチキャストデータの送信をスケジューリングするための手段と、前記第１のビットレートがＧＢＲよりも大きい、
イベントの発生に基づいて、第２のビットレートへと調整されたネットワークリソース配分を前記ネットワーク協調エンティティから受信するための手段と、前記第２のビットレートがＧＢＲに等しい、
をさらに備える、請求項５１に記載の装置。
【請求項５７】
前記第１のビットレートを満たすためにネットワークリソースが利用不可能であることを示す情報を前記装置が前記ネットワーク協調エンティティに送信すると、前記イベントが発生する、請求項５６に記載の装置。
【請求項５８】
新たなセッションがスケジューリングされることを許可すると前記ネットワーク協調エンティティが決定すると、前記イベントが発生する、請求項５６に記載の装置。
【請求項５９】
前記利用可能なネットワークリソースが前記第２のビットレートを満たせない場合、所定のパケット破棄規則に従って、データパケットを破棄せよという前記ネットワーク協調エンティティからの指示を受信するための手段をさらに備える、請求項５６に記載の装置。
【請求項６０】
別のイベントの発生に基づいて、第３のビットレートへと調整された別のネットワークリソース配分を前記ネットワーク協調エンティティから受信するための手段と、前記第３のビットレートがＭＢＲより大きくない、
前記別のイベントが発生すると、データパケットの破棄を止めよという前記ネットワーク協調エンティティからの指示を受信するための手段と
をさらに備える、請求項５９に記載の装置。
【請求項６１】
前記第３のビットレートを満たすためにネットワークリソースが利用可能であることを示す情報を前記装置が前記ネットワーク協調エンティティに送信すると、前記別のイベントが発生する、請求項６０に記載の装置。
【請求項６２】
セッションのネットワークリソースを割り振るための少なくとも１つのビットレートを少なくとも１つのネットワーク協調エンティティに送信するための手段と、ここにおいて、前記少なくとも１つのビットレートが最大ビットレート（ＭＢＲ）と保証ビットレート（ＧＢＲ）とを備え、前記ＭＢＲが前記ＧＢＲとは異なる、
前記ネットワーク協調エンティティから調整されたビットレートを受信するための手段と、ここにおいて、前記調整されたビットレートが、前記割り振られたネットワークリソースを介して少なくとも１つの基地局によって受信されているデータの量の変化またはユニキャスト負荷の変化のうちの少なくとも１つに基づく、
前記調整されたビットレートに基づいてデータを送信するための手段と
を備える、ワイヤレス通信の装置。
【請求項６３】
前記少なくとも１つのビットレートが、前記セッションの開始の後に調整され得、前記セッションがブロードキャスト／マルチキャストセッションである、請求項６２に記載の装置。
【請求項６４】
前記ネットワーク協調エンティティが、データを少なくとも１つの基地局に送信するために利用可能なリソースの量に基づいて、前記調整されたネットワークリソース配分を決定する、請求項６２に記載の装置。
【請求項６５】
前記ネットワーク協調エンティティが、前記割り振られたネットワークリソースを介して前記少なくとも１つの基地局によって受信されているデータの量の変化またはユニキャスト負荷の変化のうちの１つまたは複数を示す、前記少なくとも１つの基地局から受信されたステータス情報に基づいて、前記利用可能なリソースの量を決定する、請求項６４に記載の装置。
【請求項６６】
前記調整されたネットワークリソース配分が、前記利用可能なネットワークリソースの量が閾値を超える場合に、ＭＢＲに基づいて、優先度のより高いセッションにより多くのネットワークリソースを割り振る、請求項６４に記載の装置。
【請求項６７】
前記調整されたネットワークリソース配分が、前記利用可能なネットワークリソースの量が閾値より少ない場合に、ＧＢＲに基づいて、優先度のより低いセッションにより少ないネットワークリソースを割り振る、請求項６４に記載の装置。
【請求項６８】
複数のネットワーク協調エンティティから受信された複数の調整されたビットレートに基づいて、集約された調整されたビットレートを決定するための手段と、
前記集約された調整されたビットレートに基づいて、レート調整要求をコンテンツソースに送信するための手段と、
前記集約された調整されたビットレートに従って前記コンテンツソースからコンテンツを受信するための手段と、
をさらに備え、前記調整されたビットレートに基づいて送信される前記データが、前記集約された調整されたビットレートに従って前記コンテンツソースから受信される前記コンテンツに基づく、請求項６２に記載の装置。
【請求項６９】
ワイヤレス通信のための装置であって、
メモリと、
前記メモリに結合された少なくとも１つのプロセッサと
を備え、前記少なくとも１つのプロセッサは、
ネットワークサービスセンターからネットワークリソースを割り振るための少なくとも１つのビットレートを受信し、
前記少なくとも１つのビットレートに基づいて前記ネットワークリソースを割り振り、
ブロードキャスト／マルチキャストエリア中のすべての基地局に前記ネットワークリソース配分を知らせ、
前記割り振られたネットワークリソースを介して前記少なくとも１つの基地局によって受信されているデータの量の変化またはユニキャスト負荷の変化のうちの１つまたは複数を示すステータス情報を、前記ブロードキャスト／マルチキャストエリア中の少なくとも１つの基地局から受信し、
前記受信されたステータス情報に基づいて前記ネットワークリソース配分を調整する
ように構成され、前記少なくとも１つのビットレートが、最大ビットレート（ＭＢＲ）と保証ビットレート（ＧＢＲ）とを備え、前記少なくとも１つのプロセッサが、
セッションのネットワークリソース配分を調整するための、利用可能なネットワークリソースの量を決定し、
前記調整されたネットワークリソース配分に基づいてデータを送信するための、調整されたビットレートを決定し、
前記ネットワークサービスセンターおよびすべての基地局に前記調整されたビットレートを知らせる
ようにさらに構成される、装置。
【請求項７０】
前記少なくとも１つのビットレートが、ブロードキャスト／マルチキャストセッションの開始の後に更新され得る、請求項６９に記載の装置。
【請求項７１】
前記ＭＢＲが前記ＧＢＲに等しい、請求項６９に記載の装置。
【請求項７２】
前記ネットワークリソースがブロードキャスト／マルチキャストモードで使用されないとき、前記ネットワークリソースがユニキャストモードで使用される、請求項７１に記載の装置。
【請求項７３】
少なくとも１つのプロセッサが、前記少なくとも１つの基地局によって受信されているデータの量が減ったことまたはユニキャスト負荷の量が増えたことのうちの１つまたは複数を前記ステータス情報が示す場合、前記ＧＢＲに基づいて前記割り振られたネットワークリソースの量を減らすことによって、前記ネットワークリソース配分を調整するように構成される、請求項６９に記載の装置。
【請求項７４】
前記少なくとも１つのプロセッサが、前記少なくとも１つの基地局によって受信されているデータの量が増えたことまたはユニキャスト負荷の量が減ったことのうちの１つまたは複数を前記ステータス情報が示す場合、前記ＭＢＲに基づいて前記割り振られたネットワークリソースの量を増やすことによって、前記ネットワークリソース配分を調整するように構成される、請求項６９に記載の装置。
【請求項７５】
前記少なくとも１つのプロセッサが、
第１のビットレートに基づいて、セッションのための前記ネットワークリソースを割り振り、前記第１のビットレートがＧＢＲよりも大きい、
イベントの発生に基づいて、第２のビットレートへと前記ネットワークリソース配分を調整する、前記第２のビットレートがＧＢＲに等しい、
ようにさらに構成される、請求項６９に記載の装置。
【請求項７６】
前記第１のビットレートを満たすためにネットワークリソースが利用不可能であることを示す情報を前記処理システムが前記ブロードキャスト／マルチキャストエリア中の少なくとも１つの基地局から受信すると、前記イベントが発生する、請求項７５に記載の装置。
【請求項７７】
新たなセッションがスケジューリングされることを許可すると前記処理システムが決定すると、前記イベントが発生する、請求項７５に記載の装置。
【請求項７８】
前記少なくとも１つのプロセッサが、前記利用可能なネットワークリソースが前記第２のビットレートを満たせない場合、所定のパケット破棄規則に従って、データパケットを破棄するように少なくとも１つの基地局に指示するようにさらに構成される、請求項７５に記載の装置。
【請求項７９】
前記少なくとも１つのプロセッサが、
別のイベントの発生に基づいて、第３のビットレートへと前記ネットワークリソース配分を調整し、前記第３のビットレートがＭＢＲより大きくない、
前記別のイベントが発生すると、データパケットの破棄を止めるように前記少なくとも１つの基地局に指示する
ようにさらに構成される、請求項７８に記載の装置。
【請求項８０】
前記第３のビットレートを満たすためにネットワークリソースが利用可能であることを示す情報を前記処理システムが前記ブロードキャスト／マルチキャストエリア中のすべての基地局から受信すると、前記別のイベントが発生する、請求項７９に記載の装置。
【請求項８１】
前記少なくとも１つのプロセッサが、前記割り振られたネットワークリソースを介して前記少なくとも１つの基地局によって受信されているデータの量の変化またはユニキャスト負荷の変化のうちの１つまたは複数を示すステータス情報を、前記ブロードキャスト／マルチキャストエリア中の少なくとも１つの基地局から受信することによって、前記利用可能なリソースの量を決定するように構成される、請求項６９に記載の装置。
【請求項８２】
前記少なくとも１つのプロセッサが、利用可能なネットワークリソースの量が閾値を超える場合に、ＭＢＲに基づいて、優先度のより高いセッションにより多くのネットワークリソースを割り振ることによって、前記セッションの前記ネットワークリソース配分を調整するように構成される、請求項６９に記載の装置。
【請求項８３】
前記少なくとも１つのプロセッサが、利用可能なネットワークリソースの量が閾値を下回る場合に、ＧＢＲに基づいて、優先度のより低いセッションにより少ないネットワークリソースを割り振ることによって、前記セッションの前記ネットワークリソース配分を調整するように構成される、請求項６９に記載の装置。
【請求項８４】
前記ネットワークサービスセンターに前記調整されたビットレートを知らせるためのメッセージタイプが、前記ネットワークサービスセンターとコンテンツソースとの間のトランスポートプロトコルに依存する、請求項６９に記載の装置。
【請求項８５】
ワイヤレス通信のための装置であって、
メモリと、
前記メモリに結合された少なくとも１つのプロセッサと
を備え、前記少なくとも１つのプロセッサが、
ネットワーク協調エンティティからネットワークリソース配分を受信し、前記ネットワークリソース配分が、ネットワークサービスセンターから受信された少なくとも１つのビットレートに基づき、ここにおいて、前記少なくとも１つのビットレートが保証ビットレート（ＧＢＲ）よりも高く、最大ビットレート（ＭＢＲ）よりも低い、
前記ネットワークリソース配分に基づいて、受信されたブロードキャスト／マルチキャストデータの送信をスケジューリングし、
前記ネットワークリソース配分を介して受信されているデータの量の変化、および／またはユニキャスト負荷の変化を決定し、
前記受信されているデータの量の前記変化または前記ユニキャスト負荷の前記変化のうちの１つまたは複数を示すステータス情報を、前記ネットワーク協調エンティティに送信し、
前記送信されたステータス情報に基づいて、調整されたネットワークリソース配分を前記ネットワーク協調エンティティから受信する
ように構成される、装置。
【請求項８６】
前記少なくとも１つのビットレートが、ブロードキャスト／マルチキャストセッションの開始の後に更新され得る、請求項８５に記載の装置。
【請求項８７】
前記処理システムが、前記ネットワークリソース配分のすべてが前記受信されたブロードキャスト／マルチキャストデータを送信するために使用されない場合、前記ネットワークリソース配分を使用してユニキャストデータを送信するようにさらに構成される、請求項８５に記載の装置。
【請求項８８】
前記調整されたネットワークリソース配分が、受信されているデータの量が減ったことまたはユニキャスト負荷の量が増えたことのうちの１つまたは複数を前記ステータス情報が示す場合、前記ＧＢＲに基づいて割り振られたネットワークリソースの減少した量を備える、請求項８５に記載の装置。
【請求項８９】
前記調整されたネットワークリソース配分が、受信されているデータの量が増えたことまたはユニキャスト負荷の量が減ったことのうちの１つまたは複数を前記ステータス情報が示す場合、前記ＭＢＲに基づいて割り振られたネットワークリソースの増加した量を備える、請求項８５に記載の装置。
【請求項９０】
前記少なくとも１つもプロセッサが、
第１のビットレートで、前記ネットワークリソース配分に基づいてブロードキャスト／マルチキャストデータの送信をスケジューリングし、前記第１のビットレートがＧＢＲよりも大きい、
イベントの発生に基づいて、第２のビットレートへと調整されたネットワークリソース配分を前記ネットワーク協調エンティティから受信する、前記第２のビットレートがＧＢＲに等しい、
ようにさらに構成される、請求項８５に記載の装置。
【請求項９１】
前記第１のビットレートを満たすためにネットワークリソースが利用不可能であることを示す情報を前記処理システムが前記ネットワーク協調エンティティに送信すると、前記イベントが発生する、請求項９０に記載の装置。
【請求項９２】
新たなセッションがスケジューリングされることを許可すると前記ネットワーク協調エンティティが決定すると、前記イベントが発生する、請求項９０に記載の装置。
【請求項９３】
前記少なくとも１つのプロセッサが、前記利用可能なネットワークリソースが前記第２のビットレートを満たせない場合、所定のパケット破棄規則に従って、データパケットを破棄せよという前記ネットワーク協調エンティティからの指示を受信するようにさらに構成される、請求項９０に記載の装置。
【請求項９４】
前記少なくとも１つのプロセッサが、
別のイベントの発生に基づいて、第３のビットレートへと調整された別のネットワークリソース配分を前記ネットワーク協調エンティティから受信し、前記第３のビットレートがＭＢＲより大きくない、
前記別のイベントが発生すると、データパケットの破棄を止めよという前記ネットワーク協調エンティティからの指示を受信する
ようにさらに構成される、請求項９３に記載の装置。
【請求項９５】
前記第３のビットレートを満たすためにネットワークリソースが利用可能であることを示す情報を前記処理システムが前記ネットワーク協調エンティティに送信すると、前記別のイベントが発生する、請求項９４に記載の装置。
【請求項９６】
ワイヤレス通信のための装置であって、
メモリと、
前記メモリに結合された少なくとも１つのプロセッサと
を備え、前記少なくとも１つのプロセッサが、
セッションのネットワークリソースを割り振るための少なくとも１つのビットレートをネットワーク協調エンティティに送信し、ここにおいて、前記少なくとも１つのビットレートが保証ビットレート（ＧＢＲ）よりも高く、最大ビットレート（ＭＢＲ）よりも低い、
前記ネットワーク協調エンティティから調整されたビットレートを受信し、ここにおいて、前記調整されたビットレートが、前記割り振られたネットワークリソースを介して少なくとも１つの基地局によって受信されているデータの量の変化またはユニキャスト負荷の変化のうちの１つまたは複数に基づく、
前記調整されたビットレートに基づいてデータを送信する
ように構成される、装置。
【請求項９７】
前記少なくとも１つのビットレートが、前記セッションの開始の後に調整され得、前記セッションがブロードキャスト／マルチキャストセッションである、請求項９６に記載の装置。
【請求項９８】
前記ネットワーク協調エンティティが、データを少なくとも１つの基地局に送信するために利用可能なリソースの量に基づいて、前記調整されたネットワークリソース配分を決定する、請求項９６に記載の装置。
【請求項９９】
前記ネットワーク協調エンティティが、前記割り振られたネットワークリソースを介して前記少なくとも１つの基地局によって受信されているデータの量の変化またはユニキャスト負荷の変化のうちの１つまたは複数を示す、前記少なくとも１つの基地局から受信されたステータス情報に基づいて、前記利用可能なリソースの量を決定する、請求項９８に記載の装置。
【請求項１００】
前記調整されたネットワークリソース配分が、前記利用可能なネットワークリソースの量が閾値を超える場合に、ＭＢＲに基づいて、優先度のより高いセッションにより多くのネットワークリソースを割り振る、請求項９８に記載の装置。
【請求項１０１】
前記調整されたネットワークリソース配分が、前記利用可能なネットワークリソースの量が閾値より少ない場合に、ＧＢＲに基づいて、優先度のより低いセッションにより少ないネットワークリソースを割り振る、請求項９８に記載の装置。
【請求項１０２】
前記少なくとも１つのプロセッサが、
複数のネットワーク協調エンティティから受信された複数の調整されたビットレートに基づいて、集約された調整されたビットレートを決定し、
前記集約された調整されたビットレートに基づいて、レート調整要求をコンテンツソースに送信し、
前記集約された調整されたビットレートに従って前記コンテンツソースからコンテンツを受信する
ようにさらに構成され、前記調整されたビットレートに基づいて送信される前記データが、前記集約された調整されたビットレートに従って前記コンテンツソースから受信される前記コンテンツに基づく、請求項９６に記載の装置。
【請求項１０３】
ワイヤレス通信のためのコンピュータ実行可能コードを記憶するコンピュータ可読媒体であって、
ネットワークサービスセンターからネットワークリソースを割り振るための少なくとも１つのビットレートを受信し、
前記少なくとも１つのビットレートに基づいて前記ネットワークリソースを割り振り、
ブロードキャスト／マルチキャストエリア中のすべての基地局に前記ネットワークリソース配分を知らせ、
前記割り振られたネットワークリソースを介して前記少なくとも１つの基地局によって受信されているデータの量の変化またはユニキャスト負荷の変化のうちの１つまたは複数を示すステータス情報を、前記ブロードキャスト／マルチキャストエリア中の少なくとも１つの基地局から受信し、
前記受信されたステータス情報に基づいて前記ネットワークリソース配分を調整する
ためのコードを備え、前記少なくとも１つのビットが、最大ビットレート（ＭＢＲ）と保証ビットレート（ＧＢＲ）とを備え、前記コンピュータ可読媒体が、
セッションのネットワークリソース配分を調整するための、利用可能なネットワークリソースの量を決定し、
前記調整されたネットワークリソース配分に基づいてデータを送信するための、調整されたビットレートを決定し、
前記ネットワークサービスセンターおよびすべての基地局に前記調整されたビットレートを知らせる
ためのコードをさらに備える、コンピュータ可読媒体。
【請求項１０４】
前記少なくとも１つのビットレートが、ブロードキャスト／マルチキャストセッションの開始の後に更新され得る、請求項１０３に記載のコンピュータ可読媒体。
【請求項１０５】
第１のビットレートに基づいて、セッションのための前記ネットワークリソースを割り振り、前記第１のビットレートがＧＢＲよりも大きい、
イベントの発生に基づいて、第２のビットレートへと前記ネットワークリソース配分を調整する、前記第２のビットレートがＧＢＲに等しい、
ためのコードをさらに備える、請求項１０３に記載のコンピュータ可読媒体。
【請求項１０６】
ワイヤレス通信のためのコンピュータ実行可能コードを記憶するコンピュータ可読媒体であって、
ネットワーク協調エンティティからネットワークリソース配分を受信し、前記ネットワークリソース配分が、ネットワークサービスセンターから受信された少なくとも１つのビットレートに基づき、ここにおいて、前記少なくとも１つのビットレートが保証ビットレート（ＧＢＲ）よりも高く、最大ビットレート（ＭＢＲ）よりも低い、
前記ネットワークリソース配分に基づいて、受信されたブロードキャスト／マルチキャストデータの送信をスケジューリングし、
前記ネットワークリソース配分を介して受信されているデータの量の変化またはユニキャスト負荷の変化のうちの１つまたは複数を決定し、
前記受信されているデータの量の前記変化または前記ユニキャスト負荷の前記変化のうちの１つまたは複数を示すステータス情報を、前記ネットワーク協調エンティティに送信し、
前記送信されたステータス情報に基づいて、調整されたネットワークリソース配分を前記ネットワーク協調エンティティから受信する
ためのコードを備える、コンピュータ可読媒体。
【請求項１０７】
前記少なくとも１つのビットレートが、ブロードキャスト／マルチキャストセッションの開始の後に更新され得る、請求項１０６に記載のコンピュータ可読媒体。
【請求項１０８】
第１のビットレートで、前記ネットワークリソース配分に基づいてブロードキャスト／マルチキャストデータの送信をスケジューリングし、前記第１のビットレートがＧＢＲよりも大きい、
イベントの発生に基づいて、第２のビットレートへと調整されたネットワークリソース配分を前記ネットワーク協調エンティティから受信する、前記第２のビットレートがＧＢＲに等しい、
ためのコードをさらに備える、請求項１０６に記載のコンピュータ可読媒体。
【請求項１０９】
ワイヤレス通信のためのコンピュータ実行可能コードを記憶するコンピュータ可読媒体であって、
セッションのネットワークリソースを割り振るための少なくとも１つのビットレートを少なくとも１つのネットワーク協調エンティティに送信し、ここにおいて、前記少なくとも１つのビットレートが保証ビットレート（ＧＢＲ）よりも高く、最大ビットレート（ＭＢＲ）よりも低い、
前記少なくとも１つのネットワーク協調エンティティから調整されたビットレートを受信し、ここにおいて、前記調整されたビットレートが、前記割り振られたネットワークリソースを介して少なくとも１つの基地局によって受信されているデータの量の変化またはユニキャスト負荷の変化のうちの１つまたは複数に基づく、
前記調整されたビットレートに基づいてデータを送信する
ためのコードを備える、コンピュータ可読媒体。
【請求項１１０】
前記少なくとも１つのビットレートが、前記セッションの開始の後に調整され得、前記セッションがブロードキャスト／マルチキャストセッションである、請求項１０９に記載のコンピュータ可読媒体。
【請求項１１１】
複数のネットワーク協調エンティティから受信された複数の調整されたビットレートに基づいて、集約された調整されたビットレートを決定し、
前記集約された調整されたビットレートに基づいて、レート調整要求をコンテンツソースに送信し、
前記集約された調整されたビットレートに従って前記コンテンツソースからコンテンツを受信する
ためのコードをさらに備え、前記調整されたビットレートに基づいて送信される前記データが、前記集約された調整されたビットレートに従って前記コンテンツソースから受信される前記コンテンツに基づく、請求項１０９に記載のコンピュータ可読媒体。
【手続補正２】
【補正対象書類名】明細書
【補正対象項目名】０１６５
【補正方法】変更
【補正の内容】
【０１６５】
以上の説明は、当業者が本明細書で説明された様々な態様を実行できるようにするために提供されたものである。これらの態様に対する様々な変更は当業者には容易に明らかであり、本明細書で定義された一般的原理は他の態様に適用され得る。したがって、特許請求の範囲は、本明細書に示された態様に限定されるものではなく、特許請求の範囲の文言と矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的等価物は、参照により本明細書に明示的に組み込まれ、特許請求の範囲に包含されるものである。その上、本明細書で開示されたいかなることも、そのような開示が特許請求の範囲に明示的に列挙されているかどうかにかかわらず、公に供するものではない。いかなるクレーム要素も、その要素が「のための手段」という語句を使用して明確に列挙されていない限り、ミーンズプラスファンクションとして解釈されるべきではない。
以下に本願発明の当初の特許請求の範囲に記載された発明を付記する。
［Ｃ１］
ワイヤレス通信の方法であって、
ネットワークサービスセンターからネットワークリソースを割り振るための少なくとも１つのビットレートを受信することと、
前記少なくとも１つのビットレートに基づいて前記ネットワークリソースを割り振ることと、
ブロードキャスト／マルチキャストエリア中のすべての基地局に前記ネットワークリソース配分を知らせることと、を備える、方法。
［Ｃ２］
前記少なくとも１つのビットレートが、ブロードキャスト／マルチキャストセッションの開始の後に更新され得る、Ｃ１に記載の方法。
［Ｃ３］
前記少なくとも１つのビットレートが最大ビットレート（ＭＢＲ）であり、前記ＭＢＲが保証ビットレート（ＧＢＲ）に等しい、Ｃ１に記載の方法。
［Ｃ４］
前記ネットワークリソースがブロードキャスト／マルチキャストモードで使用されないとき、前記ネットワークリソースがユニキャストモードで使用される、Ｃ３に記載の方法。
［Ｃ５］
前記割り振られたネットワークリソースを介して前記少なくとも１つの基地局によって受信されているＭＢＭＳデータの量の変化、および／またはユニキャスト負荷の変化を示すステータス情報を、前記ブロードキャスト／マルチキャストエリア中の少なくとも１つの基地局から受信することと、
前記受信されたステータス情報に基づいて前記ネットワークリソース配分を調整することとをさらに備える、Ｃ１に記載の方法。
［Ｃ６］
前記少なくとも１つのビットレートが保証ビットレート（ＧＢＲ）を備え、前記ネットワークリソース配分を前記調整することが、前記少なくとも１つの基地局によって受信されているデータの量が減ったことおよび／またはユニキャスト負荷の量が増えたことを前記ステータス情報が示す場合、前記ＧＢＲに基づいて前記割り振られたネットワークリソースの量を減らすことを備える、Ｃ５に記載の方法。
［Ｃ７］
前記少なくとも１つのビットレートが最大ビットレート（ＭＢＲ）を備え、前記ネットワークリソース配分を前記調整することが、前記少なくとも１つの基地局によって受信されているデータの量が増えたことおよび／またはユニキャスト負荷の量が減ったことを前記ステータス情報が示す場合、前記ＭＢＲに基づいて前記割り振られたネットワークリソースの量を増やすことを備える、Ｃ１に記載の方法。
［Ｃ８］
前記少なくとも１つのビットレートが保証ビットレート（ＧＢＲ）を備え、前記方法が、
ＧＢＲよりも大きい第１のビットレートに基づいて、セッションのための前記ネットワークリソースを割り振ることと、
イベントの発生に基づいて、ＧＢＲに等しい第２のビットレートへと前記ネットワークリソース配分を調整することとをさらに備える、Ｃ１に記載の方法。
［Ｃ９］
前記第１のビットレートを満たすためにネットワークリソースが利用不可能であることを示す情報を前記ブロードキャスト／マルチキャストエリア中の少なくとも１つの基地局から受信すると、前記イベントが発生する、Ｃ８に記載の方法。
［Ｃ１０］
新たなセッションがスケジューリングされることを許可すると決定すると、前記イベントが発生する、Ｃ８に記載の方法。
［Ｃ１１］
前記利用可能なネットワークリソースが前記第２のビットレートを満たせない場合、所定のパケット破棄規則に従って、データパケットを破棄するように少なくとも１つの基地局に指示することをさらに備える、Ｃ８に記載の方法。
［Ｃ１２］
前記少なくとも１つのビットレートがさらに最大ビットレート（ＭＢＲ）を備え、
別のイベントの発生に基づいて、ＭＢＲより大きくない第３のビットレートへと前記ネットワークリソース配分を調整することと、
前記別のイベントが発生すると、データパケットの破棄を止めるように前記少なくとも１つの基地局を指示することとをさらに備える、Ｃ１１に記載の方法。
［Ｃ１３］
前記第３のビットレートを満たすためにネットワークリソースが利用可能であることを示す情報を前記ブロードキャスト／マルチキャストエリア中のすべての基地局から受信すると、前記別のイベントが発生する、Ｃ１２に記載の方法。
［Ｃ１４］
前記少なくとも１つのビットレートが最大ビットレート（ＭＢＲ）と保証ビットレート（ＧＢＲ）とを備え、前記方法が、
セッションのネットワークリソース配分を調整するための、利用可能なネットワークリソースの量を決定することと、
前記調整されたネットワークリソース配分に基づいてデータを送信するための、調整されたビットレートを決定することと、
前記ネットワークサービスセンターおよびすべての基地局に前記調整されたビットレートを知らせることと、をさらに備える、Ｃ１に記載の方法。
［Ｃ１５］
前記利用可能なリソースの量を前記決定することが、前記割り振られたネットワークリソースを介して前記少なくとも１つの基地局によって受信されているデータの量の変化、および／またはユニキャスト負荷の変化を示すステータス情報を、前記ブロードキャスト／マルチキャストエリア中の少なくとも１つの基地局から受信することを備える、Ｃ１４に記載の方法。
［Ｃ１６］
前記セッションの前記ネットワークリソース配分を前記調整することが、利用可能なネットワークリソースの量が閾値を超える場合に、ＭＢＲに基づいて、優先度のより高いセッションにより多くのネットワークリソースを割り振ることを備える、Ｃ１４に記載の方法。
［Ｃ１７］
前記セッションの前記ネットワークリソース配分を前記調整することが、利用可能なネットワークリソースの量が閾値を下回る場合に、ＧＢＲに基づいて、優先度のより低いセッションにより少ないネットワークリソースを割り振ることを備える、Ｃ１４に記載の方法。
［Ｃ１８］
前記ネットワークサービスセンターに前記調整されたビットレートを知らせるためのメッセージタイプが、前記ネットワークサービスセンターとコンテンツソースとの間のトランスポートプロトコルに依存する、Ｃ１４に記載の方法。
［Ｃ１９］
ワイヤレス通信の方法であって、
ネットワーク協調エンティティからネットワークリソース配分を受信することであって、前記ネットワークリソース配分が、ネットワークサービスセンターから受信された少なくとも１つのビットレートに基づく、受信することと、
前記ネットワークリソース配分に基づいて、受信されたブロードキャスト／マルチキャストデータの送信をスケジューリングすることと、を備える、方法。
［Ｃ２０］
前記少なくとも１つのビットレートが、ブロードキャスト／マルチキャストセッションの開始の後に更新され得る、Ｃ１９に記載の方法。
［Ｃ２１］
前記ネットワークリソース配分のすべてが前記受信されたブロードキャスト／マルチキャストデータを送信するために使用されない場合、前記ネットワークリソース配分を使用してユニキャストデータを送信することをさらに備える、Ｃ１９に記載の方法。
［Ｃ２２］
前記少なくとも１つのビットレートが最大ビットレート（ＭＢＲ）であり、前記ＭＢＲが保証ビットレート（ＧＢＲ）に等しい、Ｃ１９に記載の方法。
［Ｃ２３］
前記ネットワークリソース配分を介して受信されているデータの量の変化、および／またはユニキャスト負荷の変化を決定することと、
前記受信されているデータの量の前記変化、および／または前記ユニキャスト負荷の前記変化を示すステータス情報を、前記ネットワーク協調エンティティに送信することと、
前記送信されたステータス情報に基づいて、調整されたネットワークリソース配分を前記ネットワーク協調エンティティから受信することと、をさらに備える、Ｃ１９に記載の方法。
［Ｃ２４］
前記少なくとも１つのビットレートが保証ビットレート（ＧＢＲ）を備え、前記調整されたネットワークリソース配分が、受信されているデータの量が減ったことおよび／またはユニキャスト負荷の量が増えたことを前記ステータス情報が示す場合、前記ＧＢＲに基づいて割り振られたネットワークリソースの減少した量を備える、Ｃ２３に記載の方法。
［Ｃ２５］
前記少なくとも１つのビットレートが最大ビットレート（ＭＢＲ）を備え、前記調整されたネットワークリソース配分が、受信されているデータの量が増えたことおよび／またはユニキャスト負荷の量が減ったことを前記ステータス情報が示す場合、前記ＭＢＲに基づいて割り振られたネットワークリソースの増加した量を備える、Ｃ２３に記載の方法。
［Ｃ２６］
前記少なくとも１つのビットレートが保証ビットレート（ＧＢＲ）を備え、前記方法が、
ＧＢＲよりも大きい第１のビットレートで、前記ネットワークリソース配分に基づいてブロードキャスト／マルチキャストデータの送信をスケジューリングすることと、
イベントの発生に基づいて、ＧＢＲに等しい第２のビットレートへと調整されたネットワークリソース配分を前記ネットワーク協調エンティティから受信することとをさらに備える、Ｃ１９に記載の方法。
［Ｃ２７］
前記第１のビットレートを満たすためにネットワークリソースが利用不可能であることを示す情報を前記ネットワーク協調エンティティに送信すると、前記イベントが発生する、Ｃ２６に記載の方法。
［Ｃ２８］
新たなセッションがスケジューリングされることを許可すると前記ネットワーク協調エンティティが決定すると、前記イベントが発生する、Ｃ２６に記載の方法。
［Ｃ２９］
前記利用可能なネットワークリソースが前記第２のビットレートを満たせない場合、所定のパケット破棄規則に従って、データパケットを破棄せよという前記ネットワーク協調エンティティからの指示を受信することをさらに備える、Ｃ２６に記載の方法。
［Ｃ３０］
前記少なくとも１つのビットレートがさらに最大ビットレート（ＭＢＲ）を備え、
別のイベントの発生に基づいて、ＭＢＲより大きくない第３のビットレートへと調整された別のネットワークリソース配分を前記ネットワーク協調エンティティから受信することと、
前記別のイベントが発生すると、データパケットの破棄を止めよという前記ネットワーク協調エンティティからの指示を受信することとをさらに備える、Ｃ２９に記載の方法。
［Ｃ３１］
前記第３のビットレートを満たすためにネットワークリソースが利用可能であることを示す情報を前記ネットワーク協調エンティティに送信すると、前記別のイベントが発生する、Ｃ３０に記載の方法。
［Ｃ３２］
ワイヤレス通信の方法であって、
セッションのネットワークリソースを割り振るための少なくとも１つのビットレートをネットワーク協調エンティティに送信することと、
前記ネットワーク協調エンティティによって決定される調整されたネットワークリソース配分に基づいてデータを送信するための調整されたビットレートを、前記ネットワーク協調エンティティから受信することと、
前記調整されたビットレートに基づいてデータを送信することと、を備える、方法。
［Ｃ３３］
前記少なくとも１つのビットレートが、ブロードキャスト／マルチキャストセッションである前記セッションの開始の後に調整され得る、Ｃ３２に記載の方法。
［Ｃ３４］
前記ネットワーク協調エンティティが、データを少なくとも１つの基地局に送信するために利用可能なリソースの量に基づいて、前記調整されたネットワークリソース配分を決定する、Ｃ３２に記載の方法。
［Ｃ３５］
前記ネットワーク協調エンティティが、前記割り振られたネットワークリソースを介して前記少なくとも１つの基地局によって受信されているデータの量の変化、および／またはユニキャスト負荷の変化を示す、前記少なくとも１つの基地局から受信されたステータス情報に基づいて、前記利用可能なリソースの量を決定する、Ｃ３４に記載の方法。
［Ｃ３６］
前記少なくとも１つのビットレートが最大ビットレート（ＭＢＲ）を備え、前記調整されたネットワークリソース配分が、前記利用可能なネットワークリソースの量が閾値を超える場合に、ＭＢＲに基づいて、優先度のより高いセッションにより多くのネットワークリソースを割り振る、Ｃ３４に記載の方法。
［Ｃ３７］
前記少なくとも１つのビットレートが保証ビットレート（ＧＢＲ）を備え、前記調整されたネットワークリソース配分が、前記利用可能なネットワークリソースの量が閾値より少ない場合に、ＧＢＲに基づいて、優先度のより低いセッションにより少ないネットワークリソースを割り振る、Ｃ３４に記載の方法。
［Ｃ３８］
複数のネットワーク協調エンティティから受信された複数の調整されたビットレートに基づいて、集約された調整されたビットレートを決定することと、
前記集約された調整されたビットレートに基づいて、レート調整要求をコンテンツソースに送信することと、
前記集約された調整されたビットレートに従って前記コンテンツソースからコンテンツを受信することと、をさらに備え、
前記調整されたビットレートに基づいて送信される前記データが、前記集約された調整されたビットレートに従って前記コンテンツソースから受信される前記コンテンツに基づく、Ｃ３２に記載の方法。
［Ｃ３９］
ネットワークサービスセンターからネットワークリソースを割り振るための少なくとも１つのビットレートを受信するための手段と、
前記少なくとも１つのビットレートに基づいて前記ネットワークリソースを割り振るための手段と、
ブロードキャスト／マルチキャストエリア中のすべての基地局に前記ネットワークリソース配分を知らせるための手段と、を備える、ワイヤレス通信の装置。
［Ｃ４０］
前記少なくとも１つのビットレートが、ブロードキャスト／マルチキャストセッションの開始の後に更新され得る、Ｃ３９に記載の装置。
［Ｃ４１］
前記少なくとも１つのビットレートが最大ビットレート（ＭＢＲ）であり、前記ＭＢＲが保証ビットレート（ＧＢＲ）に等しい、Ｃ３９に記載の装置。
［Ｃ４２］
前記ネットワークリソースがブロードキャスト／マルチキャストモードで使用されないとき、前記ネットワークリソースがユニキャストモードで使用される、Ｃ４１に記載の装置。
［Ｃ４３］
前記割り振られたネットワークリソースを介して前記少なくとも１つの基地局によって受信されているデータの量の変化、および／またはユニキャスト負荷の変化を示すステータス情報を、前記ブロードキャスト／マルチキャストエリア中の少なくとも１つの基地局から受信するための手段と、
前記受信されたステータス情報に基づいて前記ネットワークリソース配分を調整するための手段と、をさらに備える、Ｃ３９に記載の装置。
［Ｃ４４］
前記少なくとも１つのビットレートが保証ビットレート（ＧＢＲ）を備え、前記ネットワークリソース配分を調整するための前記手段が、前記少なくとも１つの基地局によって受信されているデータの量が減ったことおよび／またはユニキャスト負荷の量が増えたことを前記ステータス情報が示す場合、前記ＧＢＲに基づいて前記割り振られたネットワークリソースの量を減らすための手段を備える、Ｃ４３に記載の装置。
［Ｃ４５］
前記少なくとも１つのビットレートが最大ビットレート（ＭＢＲ）を備え、前記ネットワークリソース配分を調整するための前記手段が、前記少なくとも１つの基地局によって受信されているデータの量が増えたことおよび／またはユニキャスト負荷の量が減ったことを前記ステータス情報が示す場合、前記ＭＢＲに基づいて前記割り振られたネットワークリソースの量を増やすための手段を備える、Ｃ３９に記載の装置。
［Ｃ４６］
前記少なくとも１つのビットレートが保証ビットレート（ＧＢＲ）を備え、前記装置が、
ＧＢＲよりも大きい第１のビットレートに基づいて、セッションのための前記ネットワークリソースを割り振るための手段と、
イベントの発生に基づいて、ＧＢＲに等しい第２のビットレートへと前記ネットワークリソース配分を調整するための手段とをさらに備える、Ｃ３９に記載の装置。
［Ｃ４７］
前記第１のビットレートを満たすためにネットワークリソースが利用不可能であることを示す情報を前記装置が前記ブロードキャスト／マルチキャストエリア中の少なくとも１つの基地局から受信すると、前記イベントが発生する、Ｃ４６に記載の装置。
［Ｃ４８］
新たなセッションがスケジューリングされることを許可すると前記装置が決定すると、前記イベントが発生する、Ｃ４６に記載の装置。
［Ｃ４９］
前記利用可能なネットワークリソースが前記第２のビットレートを満たせない場合、所定のパケット破棄規則に従って、データパケットを破棄するように少なくとも１つの基地局に指示するための手段をさらに備える、Ｃ４６に記載の装置。
［Ｃ５０］
前記少なくとも１つのビットレートがさらに最大ビットレート（ＭＢＲ）を備え、前記装置が、
別のイベントの発生に基づいて、ＭＢＲより大きくない第３のビットレートへと前記ネットワークリソース配分を調整するための手段と、
前記別のイベントが発生すると、データパケットの破棄を止めるように前記少なくとも１つの基地局を指示するための手段とをさらに備える、Ｃ４９に記載の装置。
［Ｃ５１］
前記別のイベントが、前記第３のビットレートを満たすためにネットワークリソースが利用可能であることを示す情報を前記ブロードキャスト／マルチキャストエリア中のすべての基地局から受信することを備える、Ｃ５０に記載の装置。
［Ｃ５２］
前記少なくとも１つのビットレートが最大ビットレート（ＭＢＲ）と保証ビットレート（ＧＢＲ）とを備え、
セッションのネットワークリソース配分を調整するための、利用可能なネットワークリソースの量を決定するための手段と、
前記調整されたネットワークリソース配分に基づいてデータを送信するための、調整されたビットレートを決定するための手段と、
前記ネットワークサービスセンターおよびすべての基地局に前記調整されたビットレートを知らせるための手段と、をさらに備える、Ｃ３９に記載の装置。
［Ｃ５３］
前記利用可能なリソースの量を決定するための前記手段が、前記割り振られたネットワークリソースを介して前記少なくとも１つの基地局によって受信されているＭＢＭＳデータの量の変化、および／またはユニキャスト負荷の変化を示すステータス情報を、前記ブロードキャスト／マルチキャストエリア中の少なくとも１つの基地局から受信するための手段を備える、Ｃ５２に記載の装置。
［Ｃ５４］
前記セッションの前記ネットワークリソース配分を調整するための前記手段が、利用可能なネットワークリソースの量が閾値を超える場合に、ＭＢＲに基づいて、優先度のより高いセッションにより多くのネットワークリソースを割り振るための手段を備える、Ｃ５２に記載の装置。
［Ｃ５５］
前記セッションの前記ネットワークリソース配分を調整するための前記手段が、利用可能なネットワークリソースの量が閾値を下回る場合に、ＧＢＲに基づいて、優先度のより低いセッションにより少ないネットワークリソースを割り振るための手段を備える、Ｃ５２に記載の装置。
［Ｃ５６］
前記ネットワークサービスセンターに前記調整されたビットレートを知らせるためのメッセージタイプが、前記ネットワークサービスセンターとコンテンツソースとの間のトランスポートプロトコルに依存する、Ｃ５２に記載の装置。
［Ｃ５７］
ネットワーク協調エンティティからネットワークリソース配分を受信するための手段であって、前記ネットワークリソース配分が、ネットワークサービスセンターから受信された少なくとも１つのビットレートに基づく、手段と、
前記ネットワークリソース配分に基づいて、受信されたブロードキャスト／マルチキャストデータの送信をスケジューリングするための手段と、を備える、ワイヤレス通信の装置。
［Ｃ５８］
前記少なくとも１つのビットレートが、ブロードキャスト／マルチキャストセッションの開始の後に更新され得る、Ｃ５７に記載の装置。
［Ｃ５９］
前記ネットワークリソース配分のすべてが前記受信されたブロードキャスト／マルチキャストデータを送信するために使用されない場合、前記ネットワークリソース配分を使用してユニキャストデータを送信するための手段をさらに備える、Ｃ５７に記載の装置。
［Ｃ６０］
前記少なくとも１つのビットレートが最大ビットレート（ＭＢＲ）であり、前記ＭＢＲが保証ビットレート（ＧＢＲ）に等しい、Ｃ５７に記載の装置。
［Ｃ６１］
前記ネットワークリソース配分を介して受信されているデータの量の変化、および／またはユニキャスト負荷の変化を決定するための手段と、
前記受信されているデータの量の前記変化、および／または前記ユニキャスト負荷の前記変化を示すステータス情報を、前記ネットワーク協調エンティティに送信するための手段と、
前記送信されたステータス情報に基づいて、調整されたネットワークリソース配分を前記ネットワーク協調エンティティから受信するための手段と、をさらに備える、Ｃ５７に記載の装置。
［Ｃ６２］
前記少なくとも１つのビットレートが保証ビットレート（ＧＢＲ）を備え、前記調整されたネットワークリソース配分が、受信されているデータの量が減ったことおよび／またはユニキャスト負荷の量が増えたことを前記ステータス情報が示す場合、前記ＧＢＲに基づいて割り振られたネットワークリソースの減少した量を備える、Ｃ６１に記載の装置。
［Ｃ６３］
前記少なくとも１つのビットレートが最大ビットレート（ＭＢＲ）を備え、前記調整されたネットワークリソース配分が、受信されているデータの量が増えたことおよび／またはユニキャスト負荷の量が減ったことを前記ステータス情報が示す場合、前記ＭＢＲに基づいて割り振られたネットワークリソースの増加した量を備える、Ｃ６１に記載の装置。
［Ｃ６４］
前記少なくとも１つのビットレートが保証ビットレート（ＧＢＲ）を備え、前記方法が、
ＧＢＲよりも大きい第１のビットレートで、前記ネットワークリソース配分に基づいてブロードキャスト／マルチキャストデータの送信をスケジューリングするための手段と、
イベントの発生に基づいて、ＧＢＲに等しい第２のビットレートへと調整されたネットワークリソース配分を前記ネットワーク協調エンティティから受信するための手段とをさらに備える、Ｃ５７に記載の装置。
［Ｃ６５］
前記第１のビットレートを満たすためにネットワークリソースが利用不可能であることを示す情報を前記装置が前記ネットワーク協調エンティティに送信すると、前記イベントが発生する、Ｃ６４に記載の装置。
［Ｃ６６］
新たなセッションがスケジューリングされることを許可すると前記ネットワーク協調エンティティが決定すると、前記イベントが発生する、Ｃ６４に記載の装置。
［Ｃ６７］
前記利用可能なネットワークリソースが前記第２のビットレートを満たせない場合、所定のパケット破棄規則に従って、データパケットを破棄せよという前記ネットワーク協調エンティティからの指示を受信するための手段をさらに備える、Ｃ６４に記載の装置。
［Ｃ６８］
前記少なくとも１つのビットレートがさらに最大ビットレート（ＭＢＲ）を備え、前記装置が、
別のイベントの発生に基づいて、ＭＢＲより大きくない第３のビットレートへと調整された別のネットワークリソース配分を前記ネットワーク協調エンティティから受信するための手段と、
前記別のイベントが発生すると、データパケットの破棄を止めよという前記ネットワーク協調エンティティからの指示を受信するための手段とをさらに備える、Ｃ６７に記載の装置。
［Ｃ６９］
前記第３のビットレートを満たすためにネットワークリソースが利用可能であることを示す情報を前記装置が前記ネットワーク協調エンティティに送信すると、前記別のイベントが発生する、Ｃ６８に記載の装置。
［Ｃ７０］
セッションのネットワークリソースを割り振るための少なくとも１つのビットレートをネットワーク協調エンティティに送信するための手段と、
前記ネットワーク協調エンティティによって決定される調整されたネットワークリソース配分に基づいてデータを送信するための調整されたビットレートを、前記ネットワーク協調エンティティから受信するための手段と、
前記調整されたビットレートに基づいてデータを送信するための手段と、を備える、ワイヤレス通信の装置。
［Ｃ７１］
前記少なくとも１つのビットレートが、ブロードキャスト／マルチキャストセッションである前記セッションの開始の後に調整され得る、Ｃ７０に記載の装置。
［Ｃ７２］
前記ネットワーク協調エンティティが、データを少なくとも１つの基地局に送信するために利用可能なリソースの量に基づいて、前記調整されたネットワークリソース配分を決定する、Ｃ７０に記載の装置。
［Ｃ７３］
前記ネットワーク協調エンティティが、前記割り振られたネットワークリソースを介して前記少なくとも１つの基地局によって受信されているデータの量の変化、および／またはユニキャスト負荷の変化を示す、前記少なくとも１つの基地局から受信されたステータス情報に基づいて、前記利用可能なリソースの量を決定する、Ｃ７２に記載の装置。
［Ｃ７４］
前記少なくとも１つのビットレートが最大ビットレート（ＭＢＲ）を備え、前記調整されたネットワークリソース配分が、前記利用可能なネットワークリソースの量が閾値を超える場合に、ＭＢＲに基づいて、優先度のより高いセッションにより多くのネットワークリソースを割り振る、Ｃ７２に記載の装置。
［Ｃ７５］
前記少なくとも１つのビットレートが保証ビットレート（ＧＢＲ）を備え、前記調整されたネットワークリソース配分が、前記利用可能なネットワークリソースの量が閾値より少ない場合に、ＧＢＲに基づいて、優先度のより低いセッションにより少ないネットワークリソースを割り振る、Ｃ７２に記載の装置。
［Ｃ７６］
複数のネットワーク協調エンティティから受信された複数の調整されたビットレートに基づいて、集約された調整されたビットレートを決定するための手段と、
前記集約された調整されたビットレートに基づいて、レート調整要求をコンテンツソースに送信するための手段と、
前記集約された調整されたビットレートに従って前記コンテンツソースからコンテンツを受信するための手段と、をさらに備え、
前記調整されたビットレートに基づいて送信される前記データが、前記集約された調整されたビットレートに従って前記コンテンツソースから受信される前記コンテンツに基づく、Ｃ７０に記載の装置。
［Ｃ７７］
処理システムを備えるワイヤレス通信のための装置であって、前記処理システムが、
ネットワークサービスセンターからネットワークリソースを割り振るための少なくとも１つのビットレートを受信し、
前記少なくとも１つのビットレートに基づいて前記ネットワークリソースを割り振り、
ブロードキャスト／マルチキャストエリア中のすべての基地局に前記ネットワークリソース配分を知らせるように構成される、装置。
［Ｃ７８］
前記少なくとも１つのビットレートが、ブロードキャスト／マルチキャストセッションの開始の後に更新され得る、Ｃ７７に記載の装置。
［Ｃ７９］
前記少なくとも１つのビットレートが最大ビットレート（ＭＢＲ）であり、前記ＭＢＲが保証ビットレート（ＧＢＲ）に等しい、Ｃ７７に記載の装置。
［Ｃ８０］
前記ネットワークリソースがブロードキャスト／マルチキャストモードで使用されないとき、前記ネットワークリソースがユニキャストモードで使用される、Ｃ７９に記載の装置。
［Ｃ８１］
前記処理システムがさらに、
前記割り振られたネットワークリソースを介して前記少なくとも１つの基地局によって受信されているデータの量の変化、および／またはユニキャスト負荷の変化を示すステータス情報を、前記ブロードキャスト／マルチキャストエリア中の少なくとも１つの基地局から受信し、
前記受信されたステータス情報に基づいて前記ネットワークリソース配分を調整するように構成される、Ｃ７７に記載の装置。
［Ｃ８２］
前記少なくとも１つのビットレートが保証ビットレート（ＧＢＲ）を備え、前記処理システムが、前記少なくとも１つの基地局によって受信されているデータの量が減ったことおよび／またはユニキャスト負荷の量が増えたことを前記ステータス情報が示す場合、前記ＧＢＲに基づいて前記割り振られたネットワークリソースの量を減らすことによって、前記ネットワークリソース配分を調整する、Ｃ８１に記載の装置。
［Ｃ８３］
前記少なくとも１つのビットレートが最大ビットレート（ＭＢＲ）を備え、前記処理システムが、前記少なくとも１つの基地局によって受信されているデータの量が増えたことおよび／またはユニキャスト負荷の量が減ったことを前記ステータス情報が示す場合、前記ＭＢＲに基づいて前記割り振られたネットワークリソースの量を増やすことによって、前記ネットワークリソース配分を調整する、Ｃ７７に記載の装置。
［Ｃ８４］
前記少なくとも１つのビットレートが保証ビットレート（ＧＢＲ）を備え、前記処理システムがさらに、
ＧＢＲよりも大きい第１のビットレートに基づいて、セッションのための前記ネットワークリソースを割り振り、
イベントの発生に基づいて、ＧＢＲに等しい第２のビットレートへと前記ネットワークリソース配分を調整するように構成される、Ｃ７７に記載の装置。
［Ｃ８５］
前記第１のビットレートを満たすためにネットワークリソースが利用不可能であることを示す情報を前記処理システムが前記ブロードキャスト／マルチキャストエリア中の少なくとも１つの基地局から受信すると、前記イベントが発生する、Ｃ８４に記載の装置。
［Ｃ８６］
新たなセッションがスケジューリングされることを許可すると前記処理システムが決定すると、前記イベントが発生する、Ｃ８４に記載の装置。
［Ｃ８７］
前記処理システムがさらに、前記利用可能なネットワークリソースが前記第２のビットレートを満たせない場合、所定のパケット破棄規則に従って、データパケットを破棄するように少なくとも１つの基地局に指示するように構成される、Ｃ８４に記載の装置。
［Ｃ８８］
前記少なくとも１つのビットレートがさらに最大ビットレート（ＭＢＲ）を備え、前記処理システムがさらに、
別のイベントの発生に基づいて、ＭＢＲより大きくない第３のビットレートへと前記ネットワークリソース配分を調整し、
前記別のイベントが発生すると、データパケットの破棄を止めるように前記少なくとも１つの基地局に指示するように構成される、Ｃ８７に記載の装置。
［Ｃ８９］
前記第３のビットレートを満たすためにネットワークリソースが利用可能であることを示す情報を前記処理システムが前記ブロードキャスト／マルチキャストエリア中のすべての基地局から受信すると、前記別のイベントが発生する、Ｃ８８に記載の装置。
［Ｃ９０］
前記少なくとも１つのビットレートが最大ビットレート（ＭＢＲ）と保証ビットレート（ＧＢＲ）とを備え、前記処理システムがさらに、
セッションのネットワークリソース配分を調整するための、利用可能なネットワークリソースの量を決定し、
前記調整されたネットワークリソース配分に基づいてデータを送信するための、調整されたビットレートを決定し、
前記ネットワークサービスセンターおよびすべての基地局に前記調整されたビットレートを知らせるように構成される、Ｃ７７に記載の装置。
［Ｃ９１］
前記処理システムが、前記割り振られたネットワークリソースを介して前記少なくとも１つの基地局によって受信されているＭＢＭＳデータの量の変化、および／またはユニキャスト負荷の変化を示すステータス情報を、前記ブロードキャスト／マルチキャストエリア中の少なくとも１つの基地局から受信することによって、前記利用可能なリソースの量を前記決定する、Ｃ９０に記載の装置。
［Ｃ９２］
前記処理システムが、利用可能なネットワークリソースの量が閾値を超える場合に、ＭＢＲに基づいて、優先度のより高いセッションにより多くのネットワークリソースを割り振ることによって、前記セッションの前記ネットワークリソース配分を調整する、Ｃ９０に記載の装置。
［Ｃ９３］
前記処理システムが、利用可能なネットワークリソースの量が閾値を下回る場合に、ＧＢＲに基づいて、優先度のより低いセッションにより少ないネットワークリソースを割り振ることによって、前記セッションの前記ネットワークリソース配分を調整する、Ｃ９０に記載の装置。
［Ｃ９４］
前記ネットワークサービスセンターに前記調整されたビットレートを知らせるためのメッセージタイプが、前記ネットワークサービスセンターとコンテンツソースとの間のトランスポートプロトコルに依存する、Ｃ９０に記載の装置。
［Ｃ９５］
処理システムを備えるワイヤレス通信のための装置であって、前記処理システムが、
ネットワーク協調エンティティからネットワークリソース配分を受信し、前記ネットワークリソース配分が、ネットワークサービスセンターから受信された少なくとも１つのビットレートに基づき、
前記ネットワークリソース配分に基づいて、受信されたブロードキャスト／マルチキャストデータの送信をスケジューリングするように構成される、装置。
［Ｃ９６］
前記少なくとも１つのビットレートが、ブロードキャスト／マルチキャストセッションの開始の後に更新され得る、Ｃ９５に記載の装置。
［Ｃ９７］
前記処理システムがさらに、前記ネットワークリソース配分のすべてが前記受信されたブロードキャスト／マルチキャストデータを送信するために使用されない場合、前記ネットワークリソース配分を使用してユニキャストデータを送信するように構成される、Ｃ９５に記載の装置。
［Ｃ９８］
前記少なくとも１つのビットレートが最大ビットレート（ＭＢＲ）であり、前記ＭＢＲが保証ビットレート（ＧＢＲ）に等しい、Ｃ９５に記載の装置。
［Ｃ９９］
前記処理システムがさらに、
前記ネットワークリソース配分を介して受信されているデータの量の変化、および／またはユニキャスト負荷の変化を決定し、
前記受信されているデータの量の前記変化、および／または前記ユニキャスト負荷の前記変化を示すステータス情報を、前記ネットワーク協調エンティティに送信し、
前記送信されたステータス情報に基づいて、調整されたネットワークリソース配分を前記ネットワーク協調エンティティから受信するように構成される、Ｃ９５に記載の装置。
［Ｃ１００］
前記少なくとも１つのビットレートが保証ビットレート（ＧＢＲ）を備え、前記調整されたネットワークリソース配分が、受信されているデータの量が減ったことおよび／またはユニキャスト負荷の量が増えたことを前記ステータス情報が示す場合、前記ＧＢＲに基づいて割り振られたネットワークリソースの減少した量を備える、Ｃ９９に記載の装置。
［Ｃ１０１］
前記少なくとも１つのビットレートが最大ビットレート（ＭＢＲ）を備え、前記調整されたネットワークリソース配分が、受信されているデータの量が増えたことおよび／またはユニキャスト負荷の量が減ったことを前記ステータス情報が示す場合、前記ＭＢＲに基づいて割り振られたネットワークリソースの増加した量を備える、Ｃ９９に記載の装置。
［Ｃ１０２］
前記少なくとも１つのビットレートが保証ビットレート（ＧＢＲ）を備え、前記処理システムがさらに、
ＧＢＲよりも大きい第１のビットレートで、前記ネットワークリソース配分に基づいてブロードキャスト／マルチキャストデータの送信をスケジューリングし、
イベントの発生に基づいて、ＧＢＲに等しい第２のビットレートへと調整されたネットワークリソース配分を前記ネットワーク協調エンティティから受信するように構成される、Ｃ９５に記載の装置。
［Ｃ１０３］
前記第１のビットレートを満たすためにネットワークリソースが利用不可能であることを示す情報を前記処理システムが前記ネットワーク協調エンティティに送信すると、前記イベントが発生する、Ｃ１０２に記載の装置。
［Ｃ１０４］
新たなセッションがスケジューリングされることを許可すると前記ネットワーク協調エンティティが決定すると、前記イベントが発生する、Ｃ１０２に記載の装置。
［Ｃ１０５］
前記処理システムがさらに、前記利用可能なネットワークリソースが前記第２のビットレートを満たせない場合、所定のパケット破棄規則に従って、データパケットを破棄せよという前記ネットワーク協調エンティティからの指示を受信するように構成される、Ｃ１０２に記載の装置。
［Ｃ１０６］
前記少なくとも１つのビットレートがさらに最大ビットレート（ＭＢＲ）を備え、前記処理システムがさらに、
別のイベントの発生に基づいて、ＭＢＲより大きくない第３のビットレートへと調整された別のネットワークリソース配分を前記ネットワーク協調エンティティから受信し、
前記別のイベントが発生すると、データパケットの破棄を止めよという前記ネットワーク協調エンティティからの指示を受信するように構成される、Ｃ１０５に記載の装置。
［Ｃ１０７］
前記第３のビットレートを満たすためにネットワークリソースが利用可能であることを示す情報を前記処理システムが前記ネットワーク協調エンティティに送信すると、前記別のイベントが発生する、Ｃ１０６に記載の装置。
［Ｃ１０８］
処理システムを備えるワイヤレス通信のための装置であって、前記処理システムが、
セッションのネットワークリソースを割り振るための少なくとも１つのビットレートをネットワーク協調エンティティに送信し、
前記ネットワーク協調エンティティによって決定される調整されたネットワークリソース配分に基づいてデータを送信するための調整されたビットレートを、前記ネットワーク協調エンティティから受信し、
前記調整されたビットレートに基づいてデータを送信するように構成される、装置。
［Ｃ１０９］
前記少なくとも１つのビットレートが、ブロードキャスト／マルチキャストセッションである前記セッションの開始の後に調整され得る、Ｃ１０８に記載の装置。
［Ｃ１１０］
前記ネットワーク協調エンティティが、データを少なくとも１つの基地局に送信するために利用可能なリソースの量に基づいて、前記調整されたネットワークリソース配分を決定する、Ｃ１０８に記載の装置。
［Ｃ１１１］
前記ネットワーク協調エンティティが、前記割り振られたネットワークリソースを介して前記少なくとも１つの基地局によって受信されているデータの量の変化、および／またはユニキャスト負荷の変化を示す、前記少なくとも１つの基地局から受信されたステータス情報に基づいて、前記利用可能なリソースの量を決定する、Ｃ１１０に記載の装置。
［Ｃ１１２］
前記少なくとも１つのビットレートが最大ビットレート（ＭＢＲ）を備え、前記調整されたネットワークリソース配分が、前記利用可能なネットワークリソースの量が閾値を超える場合に、ＭＢＲに基づいて、優先度のより高いセッションにより多くのネットワークリソースを割り振る、Ｃ１１０に記載の装置。
［Ｃ１１３］
前記少なくとも１つのビットレートが保証ビットレート（ＧＢＲ）を備え、前記調整されたネットワークリソース配分が、前記利用可能なネットワークリソースの量が閾値より少ない場合に、ＧＢＲに基づいて、優先度のより低いセッションにより少ないネットワークリソースを割り振る、Ｃ１１０に記載の装置。
［Ｃ１１４］
前記処理システムがさらに、
複数のネットワーク協調エンティティから受信された複数の調整されたビットレートに基づいて、集約された調整されたビットレートを決定し、
前記集約された調整されたビットレートに基づいて、レート調整要求をコンテンツソースに送信し、
前記集約された調整されたビットレートに従って前記コンテンツソースからコンテンツを受信するように構成され、
前記調整されたビットレートに基づいて送信される前記データが、前記集約された調整されたビットレートに従って前記コンテンツソースから受信される前記コンテンツに基づく、Ｃ１０８に記載の装置。
［Ｃ１１５］
コンピュータ可読媒体を備えるコンピュータプログラム製品であって、
前記コンピュータ可読媒体が、
ネットワークサービスセンターからネットワークリソースを割り振るための少なくとも１つのビットレートを受信し、
前記少なくとも１つのビットレートに基づいて前記ネットワークリソースを割り振り、
ブロードキャスト／マルチキャストエリア中のすべての基地局に前記ネットワークリソース配分を知らせるためのコードを備える、コンピュータプログラム製品。
［Ｃ１１６］
前記少なくとも１つのビットレートが、ブロードキャスト／マルチキャストセッションの開始の後に更新され得る、Ｃ１１５に記載のコンピュータプログラム製品。
［Ｃ１１７］
前記コンピュータ可読媒体がさらに、
前記割り振られたネットワークリソースを介して前記少なくとも１つの基地局によって受信されているデータの量の変化、および／またはユニキャスト負荷の変化を示すステータス情報を、前記ブロードキャスト／マルチキャストエリア中の少なくとも１つの基地局から受信し、
前記受信されたステータス情報に基づいて前記ネットワークリソース配分を調整するためのコードを備える、Ｃ１１５に記載のコンピュータプログラム製品。
［Ｃ１１８］
前記少なくとも１つのビットレートが保証ビットレート（ＧＢＲ）を備え、前記コンピュータ可読媒体がさらに、
ＧＢＲよりも大きい第１のビットレートに基づいて、セッションのための前記ネットワークリソースを割り振り、
イベントの発生に基づいて、ＧＢＲに等しい第２のビットレートへと前記ネットワークリソース配分を調整するためのコードを備える、Ｃ１１５に記載のコンピュータプログラム製品。
［Ｃ１１９］
前記少なくとも１つのビットレートが最大ビットレート（ＭＢＲ）と保証ビットレート（ＧＢＲ）とを備え、前記コンピュータ可読媒体がさらに、
セッションのネットワークリソース配分を調整するための、利用可能なネットワークリソースの量を決定し、
前記調整されたネットワークリソース配分に基づいてデータを送信するための、調整されたビットレートを決定し、
前記ネットワークサービスセンターおよびすべての基地局に前記調整されたビットレートを知らせるためのコードを備える、Ｃ１１５に記載のコンピュータプログラム製品。
［Ｃ１２０］
コンピュータ可読媒体を備えるコンピュータプログラム製品であって、
前記コンピュータ可読媒体が、
ネットワーク協調エンティティからネットワークリソース配分を受信し、前記ネットワークリソース配分が、ネットワークサービスセンターから受信された少なくとも１つのビットレートに基づき、
前記ネットワークリソース配分に基づいて、受信されたブロードキャスト／マルチキャストデータの送信をスケジューリングするためのコードを備える、コンピュータプログラム製品。
［Ｃ１２１］
前記少なくとも１つのビットレートが、ブロードキャスト／マルチキャストセッションの開始の後に更新され得る、Ｃ１２０に記載のコンピュータプログラム製品。
［Ｃ１２２］
前記コンピュータ可読媒体がさらに、
前記ネットワークリソース配分を介して受信されているデータの量の変化、および／またはユニキャスト負荷の変化を決定し、
前記受信されているデータの量の前記変化、および／または前記ユニキャスト負荷の前記変化を示すステータス情報を、前記ネットワーク協調エンティティに送信し、
前記送信されたステータス情報に基づいて、調整されたネットワークリソース配分を前記ネットワーク協調エンティティから受信するためのコードを備える、Ｃ１２０に記載のコンピュータプログラム製品。
［Ｃ１２３］
前記少なくとも１つのビットレートが保証ビットレート（ＧＢＲ）を備え、前記コンピュータ可読媒体がさらに、
ＧＢＲよりも大きい第１のビットレートで、前記ネットワークリソース配分に基づいてブロードキャスト／マルチキャストデータの送信をスケジューリングし、
イベントの発生に基づいて、ＧＢＲに等しい第２のビットレートへと調整されたネットワークリソース配分を前記ネットワーク協調エンティティから受信するためのコードを備える、Ｃ１２０に記載のコンピュータプログラム製品。
［Ｃ１２４］
コンピュータ可読媒体を備えるコンピュータプログラム製品であって、
前記コンピュータ可読媒体が、
セッションのネットワークリソースを割り振るための少なくとも１つのビットレートをネットワーク協調エンティティに送信し、
前記ネットワーク協調エンティティによって決定される調整されたネットワークリソース配分に基づいてデータを送信するための調整されたビットレートを、前記ネットワーク協調エンティティから受信し、
前記調整されたビットレートに基づいてデータを送信するためのコードを備える、コンピュータプログラム製品。
［Ｃ１２５］
前記少なくとも１つのビットレートが、ブロードキャスト／マルチキャストセッションである前記セッションの開始の後に調整され得る、Ｃ１２４に記載のコンピュータプログラム製品。
［Ｃ１２６］
前記コンピュータ可読媒体がさらに、
複数のネットワーク協調エンティティから受信された複数の調整されたビットレートに基づいて、集約された調整されたビットレートを決定し、
前記集約された調整されたビットレートに基づいて、レート調整要求をコンテンツソースに送信し、
前記集約された調整されたビットレートに従って前記コンテンツソースからコンテンツを受信するためのコードを備え、
前記調整されたビットレートに基づいて送信される前記データが、前記集約された調整されたビットレートに従って前記コンテンツソースから受信される前記コンテンツに基づく、Ｃ１２４に記載のコンピュータプログラム製品。